(57)【要約】      （修正有）【課題】小形化を促進することのできる車載用電源分配装置を提供する。【解決手段】車載シガーソケット１に差込み接続可能な入力用のシガープラグ２と、車載用具３とでなる。車載用具が、シガープラグ２を介して取り入れた電力を分配する分電機能又は電力を消費して動作する電動機能を有するステーション要素Ｓ１，Ｓ２と、このステーション要素Ｓ１，Ｓ２の後段側に配備されて電力を分配する分電機能又は電力を消費して動作する電動機能を有するブランチ要素Ｂ１，Ｂ２と、ステーション要素Ｓ１，Ｓ２からブランチ要素Ｂ１，Ｂ２に電力を供給するためのＵＳＢ型の電送ラインＬとに分かれている。【選択図】図２
0003137029.tif 000002
【実用新案登録請求の範囲】
【請求項１】
相手方車載シガーソケットに差込み接続可能な入力用のシガープラグと、車載用具と、でなり、
車載用具が、上記シガープラグを有してこのシガープラグを介して取り入れた電力を分配する分電機能を有するステーション要素でなり、このステーション要素に、ＵＳＢ型の多口の電力取出口が設けられている車載用電源分配装置。
【請求項２】
相手方車載シガーソケットに差込み接続可能な入力用のシガープラグと、車載用具と、でなり、
車載用具が、上記シガープラグを有してこのシガープラグを介して取り入れた電力を分配する分電機能又は電力を消費して動作する電動機能を有するステーション要素と、このステーション要素の後段側に配備されて電力を分配する分電機能又は電力を消費して動作する電動機能を有するブランチ要素と、ステーション要素からブランチ要素に電力を供給するためのＵＳＢ型の電送ラインと、に分かれていることを特徴とする車載用電源分配装置。
【請求項３】
上記電送ラインがＵＳＢ型のライン入力コネクタとＵＳＢ型のライン出力コネクタとを有して、ライン入力コネクタが上記ステーション要素に具備されてその分電機能を発揮するＵＳＢ型の出力コネクタに接離可能であり、上記ライン出力コネクタが上記ブランチ要素に具備されてその分電機能を発揮するＵＳＢ型の入力コネクタに離接可能である請求項２に記載した車載用電源分配装置。
【請求項４】
上記ステーション要素が、１つ又は複数の上記出力コネクタを有して、その分電機能を発揮する電力分配器である請求項２又は請求項３に記載した車載用電源分配装置。
【請求項５】
ステーション要素としての上記電力分配器が、自動車の後方の様子を映し出す細長のミラーを備えているミラー型用具、飲用容器のホルダーとしてのドリンクホルダー型用具、灰皿、及び、携帯電話機のホルダーとしてのテレホルダー型用具、から選択される１種の用具である請求項４に記載した車載用電源分配装置。
【請求項６】
上記ステーション要素が上記電動機能の付与された電気機器である請求項２ないし請求項５のいずれか１項に記載した車載用電源分配装置。
【請求項７】
ステーション要素としての上記電気機器が、ＬＥＤ光源を点灯させて電力を消費するイルミネーション機器である請求項６に記載した車載用電源分配装置。
【請求項８】
上記ブランチ要素が、上記電送ラインのライン入力コネクタを接離可能な１つ又は複数のＵＳＢ型の出力コネクタを有する請求項２ないし請求項７のいずれか１項に記載した車載用電源分配装置。
【請求項９】
上記ブランチ要素が、自動車の後方の様子を映し出す細長のミラーを備えているミラー型用具、飲用容器のホルダーとしてのドリンクホルダー型用具、灰皿、及び、携帯電話機のホルダーとしてのテレホルダー型用具、及び、ＬＥＤ光源を点灯させて電力を消費するイルミネーション用具、から選択される１種の用具である請求項８に記載した車載用電源分配装置。
【考案の詳細な説明】
【技術分野】
【０００１】
本考案は、車載用電源分配装置、詳しくは、車載シガーソケットから取り出した電力を、車室内の任意場所に設置された各種の車載用具に分配してその車載用具に付与されている電気的機能の利用を可能にしたり、車載用具に分配された電力をさらに他の車載用具に分配したりするための対策を講じた車載用電力分配装置に関する。
【背景技術】
【０００２】
従来のこの種の車載用電力分配装置は、車載シガーソケットに差込み接続可能な入力用のシガープラグと、上記車載シガーソケットと同一又は略同一の仕様の多口の出力用ソケットとを有していて、出力用ソケットの１つ又は複数を選択して電力を消費して動作する電動機能の付与されている車載用具（ＬＥＤ光源を点灯させて電力を消費するイルミネーション用具など）に電力を分配するようになっていた。
【０００３】
【特許文献１】特になし。
【考案の開示】
【考案が解決しようとする課題】
【０００４】
しかしながら、従来の車載用電力分配装置のように、出力用ソケットに車載シガーソケットと同一又は略同一の仕様を採用すると、個々の出力用ソケットが大きくなるだけでなく、その出力用ソケットに差し込んで接続される入力用プラグも大きくせざるを得ないという事情があった。その結果、特に、多口の出力用ソケットを有する車載用電力分配装置が必然的に大きくなって車室内でじゃまになるという傾向があった。
【０００５】
本考案は以上の状況に鑑みてなされたものであり、相手方車載シガーソケットに差込み接続可能な入力用のシガープラグを有する車載用具としてのステーション要素の小形化を促進することのできる車載用電源分配装置を提供することを目的とする。
【０００６】
また、本考案は、車載用具を、シガープラグを有してこのシガープラグを介して取り入れた電力を分配する分電機能又は電力を消費して動作する電動機能を有するステーション要素と、このステーション要素の後段側に配備されて上記分電機能又は上記電動機能を有するブランチ要素とに分けた場合に、ステーション要素やブランチ要素の小形化を促進することのできる車載用電源分配装置を提供することを目的とする。
【課題を解決するための手段】
【０００７】
本考案に係る車載用電源分配装置は、相手方車載シガーソケットに差込み接続可能な入力用のシガープラグと、車載用具と、でなり、車載用具が、上記シガープラグを有してこのシガープラグを介して取り入れた電力を分配する分電機能を有するステーション要素でなり、このステーション要素に、ＵＳＢ型の多口の電力取出口が設けられている。
【０００８】
この構成であると、ステーション要素の多口の電力取出口が、車載シガーソケットと同一又は略同一の仕様を採用した出力用ソケットに比べて顕著に小形化されているＵＳＢ型になっていることにより、そのステーション要素の小形化が顕著に促進される。
【０００９】
本考案に係る車載用電源分配装置は、相手方車載シガーソケットに差込み接続可能な入力用のシガープラグと、車載用具と、でなり、車載用具が、上記シガープラグを有してこのシガープラグを介して取り入れた電力を分配する分電機能又は電力を消費して動作する電動機能を有するステーション要素と、このステーション要素の後段側に配備されて電力を分配する分電機能又は電力を消費して動作する電動機能を有するブランチ要素と、ステーション要素からブランチ要素に電力を供給するためのＵＳＢ型の電送ラインと、に分かれている。
【００１０】
この構成であると、ステーション要素とブランチ要素とが、車載シガーソケットと同一又は略同一の仕様を採用した出力用ソケットや入力用ソケットに比べて顕著に小形化されているＵＳＢ型の電送ラインによって接続されるために、それらのステーション要素やブランチ要素の小形化が促進され、ひいては当該車載用電源分配装置が小形化される。
【００１１】
本考案では、上記電送ラインがＵＳＢ型のライン入力コネクタとＵＳＢ型のライン出力コネクタとを有して、ライン入力コネクタが上記ステーション要素に具備されてその分電機能を発揮するＵＳＢ型の出力コネクタに接離可能であり、上記ライン出力コネクタが上記ブランチ要素に具備されてその分電機能を発揮するＵＳＢ型の入力コネクタに離接可能であるという構成が採用される。
【００１２】
そして、上記ステーション要素は、１つ又は複数の上記出力コネクタを有して、その分電機能を発揮する電力分配器であってもよい。ステーション要素としての上記電力分配器には、自動車の後方の様子を映し出す細長のミラーを備えているミラー型用具、飲用容器のホルダーとしてのドリンクホルダー型用具、灰皿、及び、携帯電話機のホルダーとしてのテレホルダー型用具、から選択される１種の用具が含まれる。また、上記ステーション要素は、電動機能の付与された電気機器であってもよく、ステーション要素としての上記電気機器には、ＬＥＤ光源を点灯させて電力を消費するイルミネーション機器が含まれる。
【００１３】
本考案において、上記ブランチ要素は、上記電送ラインのライン入力コネクタを接離可能な１つ又は複数のＵＳＢ型の出力コネクタを有しているものであってもよい。このブランチ要素には、自動車の後方の様子を映し出す細長のミラーを備えているミラー型用具、飲用容器のホルダーとしてのドリンクホルダー型用具、灰皿、及び、携帯電話機のホルダーとしてのテレホルダー型用具、及び、ＬＥＤ光源を点灯させて電力を消費するイルミネーション用具、から選択される１種の用具が含まれる。
【考案の効果】
【００１４】
本考案に係る車載用電源分配装置は、相手方車載シガーソケットの仕様と同一又は略同一の仕様のシガープラグが、車載用具としてのステーション要素に備わっているだけであり、ステーション要素からブランチ要素へはＵＳＢ型の電送ラインによって電力が供給されるようになっているので、ステーション要素やブランチ要素の出力コネクタや入力コネクタが小形化され、ひいてはそれらの各要素が小形化されて、車室内でじゃまになりにくくなるという効果が奏される。
【考案を実施するための最良の形態】
【００１５】
図１は本考案の車載用電源分配装置を示した説明図である。同図において、１は相手方車載シガーソケットで、車室のフロントパネルなどに設置されている。２は上記シガーソケット１に差込み接続可能な入力用のシガープラグ、３は車載用具をそれぞれ示している。車載用具３は上記シガープラグ２を有する。また、車載用具３は、ＵＳＢ型の多口の電力取出口４が設けられたステーション要素Ｓでなる。
【００１６】
図１の車載用電源分配装置によると、ステーション要素Ｓの多口の電力取出口５が、車載シガーソケットと同一又は略同一の仕様を採用した出力用ソケットに比べて顕著に小形化されているＵＳＢ型になっていることにより、そのステーション要素Ｓを小形化することが容易である。
【００１７】
ＵＳＢ型とは、一般的にはキーボードやマウス、モデムなどの周辺機器とパソコンとを結ぶデータ電送路の規格であるユニバーサルシリアルバス（Ｕｎｉｖｅｒｓａｌ  Ｓｅｒｉａｌ  Ｂｕｓ）のことである。この考案の車載用電源分配装置では、そのようなＵＳＢ型の電送路を通電ラインに転用している。したがって、ＵＳＢ型の多口の電力取出口５に設けられる１つ又は複数のＵＳＢソケット５１…は、それぞれが車載シガーソケットやシガープラグに比べて小形であり、その結果、電力取出口５を有するステーション要素Ｓも小形化されている。
【００１８】
図１に示した構成を備える電源分配装置は、シガープラグ２を車載シガーソケット１に差し込んだ状態では、ステーション要素Ｓの電力取出口５のＵＳＢ型分電ソケット５１からその電力を取り出すことが可能である。具体的には、ＬＥＤ光源を点灯させて電力を消費して動作するという電動機能を持つイルミネーション機器のＵＳＢ型プラグを、ＵＳＢ型分電ソケット５１の１つに差し込むと、そのイルミネーション機器のＬＥＤが点灯する。
【００１９】
図２は本考案の他の車載用電源分配装置を示した説明図である。同図において、１は相手方車載シガーソケットで、車室のフロントパネルなどに設置されている。２は上記シガーソケット１に差込み接続可能な入力用のシガープラグ、３は車載用具をそれぞれ示している。車載用具３は上記シガープラグ２を有する。また、車載用具３は、第１のステーション要素Ｓ１又は第２のステーション要素Ｓ２と、第１のブランチ要素Ｂ１又は第２のブランチ要素Ｓ２と、ステーション要素Ｓ１，Ｓ２からブランチ要素Ｂ１，Ｂ２に電力を供給するためのＵＳＢ型の電送ラインＬと、に分かれている。
【００２０】
図中に示した第１のステーション要素Ｓ１は、シガープラグ２を介して取り入れた電力を分配する分電機能を有している。第２のステーション要素Ｓ２は、シガープラグ２を介して取り入れた電力を消費して動作する電動機能を有する。また、第１のブランチ要素Ｂ１は、第１又は第２のステーション要素Ｓ１，Ｓ２の後段側に配備されて電力を分配する分電機能を有する。第２のブランチ要素Ｂ２は、第１又は第２のステーション要素Ｓ１，Ｓ２の後段側に配備されて電力を消費して動作する電動機能を有する。
【００２１】
ＵＳＢ型の電送ラインＬとしては、相互に電気的接続された２つのＵＳＢ型プラグＬＰを有していて、一方のＵＳＢ型プラグＬＰがライン入力コネクタとして用いられ、他方のＵＳＢ型プラグＬＰがライン出力コネクタとして用いられる。そして、ライン入力コネクタが第１又は第２のステーション要素Ｓ１，Ｓ２に備わって分電機能を発揮するＵＳＢ型ソケットでなる出力コネクタ（ＵＳＢ型ソケット）４２，４３に接離可能であり、ライン出力コネクタが第１又は第２のブランチ要素Ｂ１，Ｂ２に具備されてその分電機能を発揮するＵＳＢ型ソケットでなる入力コネクタ５２，５３に離接可能である。
【００２２】
図２に示した第１のステーション要素Ｓ１と第２のステーション要素Ｓ２とは一方だけが用いられる。たとえば、第１のステーション要素Ｓ１のシガープラグ２を車載シガーソケット１に差し込んだ状態では、そのステーション要素Ｓ１の出力コネクタ４２のいずれか１つから電力を取り出すことが可能である。同様に、第２のステーション要素Ｓ２のシガープラグ２を車載シガーソケット１に差し込んだ状態では、そのステーション要素Ｓ２の出力コネクタ４３のいずれか１つから電力を取り出すことが可能である。上記各出力コネクタ４２，４３のいずれかから電力を取り出すときには、電送ラインＬのライン入力コネクタとしてのＵＳＢ型プラグＬＰを出力コネクタ４２，４３のいずれかに差し込む。そして、電送ラインＬのライン出力コネクタとしてのＵＳＢ型プラグＬＰを、第１のブランチ要素Ｂ１の入力コネクタ５２、又は、第２のブランチ要素Ｂ２の入力コネクタ５３に差し込むと、それらのブランチ要素Ｂ１，Ｂ２の分電機能又は電動機能を利用することが可能になる。
【００２３】
上記した第１のステーション要素Ｓ１には電力分配器が該当している。そして、第１のステーション要素Ｓ１に該当する電力分配器には、１つ又は複数の上記出力コネクタ４２を有して分電機能だけを発揮するもの、言い換えると電力分配専用器が含まれる。また、第１のステーション要素Ｓ１としての電力分配器には、上記電力分配専用器の他に、自動車の後方の様子を映し出す細長のミラーを備えているミラー型用具、飲用容器のホルダーとしてのドリンクホルダー型用具、灰皿、及び、携帯電話機のホルダーとしてのテレホルダー型用具、から選択される１種の用具も含まれる。
【００２４】
これに対し、上記した第２のステーション要素Ｓ２には電動機能の付与された電気機器が該当している。そのような電気機器には、ＬＥＤ光源を点灯させて電力を消費するイルミネーション機器が含まれる。
【００２５】
第１のブランチ要素Ｂ１には、上記した電送ラインＬと同様の構成を有する電送ライン（不図示）のライン入力コネクタ（ＵＳＢ型プラグ）を接離可能な１つ又は複数のＵＳＢ型の出力コネクタ６２が設けられていてもよい。そして、第１のブランチ要素Ｂ１には、自動車の後方の様子を映し出す細長のミラーを備えているミラー型用具、飲用容器のホルダーとしてのドリンクホルダー型用具、灰皿、及び、携帯電話機のホルダーとしてのテレホルダー型用具、及び、ＬＥＤ光源を点灯させて電力を消費するイルミネーション用具、から選択される１種の用具が含まれる。
【００２６】
図３及び図４には第１のブランチ要素Ｂ１として用い得るミラー型用具１００を示してあり、図３はミラー型用具１００の背面図、図４はミラー型用具１００の平面図である。このミラー型用具１００は、自動車の後方の様子を映し出す細長のミラー１１０を備えているほか、自動車に標準的に設置されているバックミラー（不図示）に対して着脱される取付け具１２０を備えている。また、このミラー型用具１００には、１つのＵＳＢ型入力コネクタタ５２と、１つ又は複数（図例では２つ）の出力コネクタ６２が設けられている。このミラー型用具１００は、分電機能及び電動機能のうちの分電機能だけを有している。
【００２７】
図５には第１のブランチ要素Ｂ１として用い得るドリンクホルダー型用具２００を示してある。このドリンクホルダー型用具２００は、飲用容器を収容可能なホルダー２１０や、車載エアコンの吹出口に着脱可能な取付け具２２０などを備えている。また、このドリンクホルダー型用具２００には、１つのＵＳＢ型入力コネクタタ５２と、１つ又は複数（図例では１つ）の出力コネクタ６２が設けられている。このドリンクホルダー型用具２００は、分電機能及び電動機能のうちの分電機能だけを有している。
【００２８】
図６には第２のブランチ要素Ｂ２として用い得る灰皿３００を示してある。この灰皿３００は、灰皿本体３１０と蓋３２０とを有していて、灰皿本体３１０を図５に示したドリンクホルダー型用具２００のホルダー２１０に収容することができるようになっている。そして、灰皿３００には、１つのＵＳＢ型入力コネクタタ５２と、この入力コネクタ５２から取り入れた電力で灰皿の内部を照明するＬＥＤランプ（不図示）とが備わっている。そして、灰皿本体３１０を図５に示したドリンクホルダー型用具２００のホルダー２１０に収容することによって、そのＵＳＢ型入力コネクタタ５２をドリンクホルダー型用具２００の出力用コネクタ６２に接続することができるようになっている。この灰皿３００は、分電機能及び電動機能のうちの電動機能（ＬＥＤランプを点灯させて電力を消費する機能）だけを有している。
【００２９】
ところで、上掲のミラー型用具、ドリンクホルダー型用具、灰皿、テレホルダー型用具、及び、イルミネーション用具などは、第１又は第２のステーション要素Ｓ１，Ｓ２として用い得るように構成することも、第１又は第２のブランチ要素Ｂ１，Ｂ２として用い得るように構成することも可能である。すなわち、第１のステーション要素Ｓ１として用い得るようにするためには、１つ又は複数のＵＳＢ型出力コネクタを具備させて分電機能を発揮する電力分配器として構成しておけばよい。第２のステーション要素Ｓ１として用い得るようにするためには、電動機能の付与された電気機器として構成しておけばよい。第１のブランチ要素Ｂ１として用い得るようにするためには、電送ラインＬのライン入力コネクタを接離可能な１つ又は複数のＵＳＢ型の出力コネクタと、ＵＳＢ型の出力コネクタとを具備させておけばよい。第２のブランチ要素Ｂ２として用い得るようにするためには、電送ラインＬのライン出力コネクタを接離可能なＵＳＢ型の入力コネクタを具備させておけばよい。
【図面の簡単な説明】
【００３０】
【図１】本考案の車載用電源分配装置を示した説明図である。
【図２】本考案の他の車載用電源分配装置を示した説明図である。
【図３】ミラー型用具の背面図である。
【図４】ミラー型用具の平面図である。
【図５】ドリンクホルダー型用具の斜視図である。
【図６】灰皿の斜視図である。
【符号の説明】
【００３１】
１  車載シガーソケット
２  シガープラグ
３  車載用具
４  電力取出口
４２，４３，６２  出力コネクタ
１００  ミラー型用具
２００  ドリンクホルダー型用具
３００  灰皿
Ｂ１，Ｂ２  ブランチ要素
Ｌ  電送ライン
ＬＰ  ＵＳＢ型プラグ（ライン入力コネクタ、ライン出力コネクタ）
Ｓ，Ｓ1 ，Ｓ２  ステーション要素
【図１】
0003137029.tif 000003
【図２】
0003137029.tif 000004
【図３】
0003137029.tif 000005
【図４】
0003137029.tif 000006
【図５】
0003137029.tif 000007
【図６】
0003137029.tif 000008